(57)【要約】      （修正有）【課題】汲み上げた水を循環加熱して、節水、省エネを図るシャワー装置を提供する。【解決手段】このシャワー装置は、筐体、揚水装置、加熱装置及びこれら装置間に接続される水導入用導管からなる電気給湯器と、揚水装置に接続され、筐体の外部に延びる揚水用導管３１と、加熱装置に接続され、筐体の外部に延びる給湯用導管２１とを備え、汲み上げた水を循環させながら加熱し、給水装置６を通して、シャワーに供給する。【選択図】図３
0003181590.tif 000002
【実用新案登録請求の範囲】
【請求項１】
筐体と、前記筐体に内設され、水を汲み上げる揚水装置、水を加熱して供給する加熱装置、及びこれら揚水装置、加熱装置間に接続され、前記揚水装置で汲み上げる水を前記加熱装置に導入する水導入用導管とを備えて構成される電気給湯器と、
前記揚水装置に接続され、前記筐体の外部に延びる揚水用導管と、
前記加熱装置に接続され、前記筐体の外部に延びる給湯用導管と、
を備え、
汲み上げた水を循環させながら加熱し、給水装置を通して、シャワーに供給する、
ことを特徴とする循環加熱式シャワー装置。
【請求項２】
前記給水装置に連接される第１導管、一般の給湯器に連接される第２導管をそれぞれ備え、前記第１導管、前記第２導管及び前記給湯用導管が、前記電気給湯器から前記給水装置へ又は前記一般の給湯器から前記給水装置へ給湯の流れを制御する制御バルブを介して接続されることを特徴とする請求項１に記載の循環加熱式シャワー装置。
【請求項３】
前記電気給湯器に前記揚水装置の揚水動作及び前記加熱装置の加熱動作を制御する制御装置を備えることを特徴とする請求項１に記載の循環加熱式シャワー装置。
【請求項４】
筐体と、前記筐体に内設され、水を汲み上げる揚水装置、水を加熱して供給する加熱装置、及びこれら揚水装置、加熱装置間に接続され、前記揚水装置で汲み上げる水を前記加熱装置に導入する水導入用導管とを備えて構成される電気給湯器と、
前記揚水装置に接続され、前記筐体の外部に延びる揚水用導管と、
前記加熱装置に接続され、前記筐体の外部に延びる給湯用導管と、
前記加熱装置に接続され、前記筐体の外部に延びる第２揚水用導管と、
を備え、
汲み上げた水を循環させながら加熱し、給水装置を通して、シャワーに供給する、
ことを特徴とする循環加熱式シャワー装置。
【請求項５】
前記給水用導管が前記給水装置に連接され、前記水導入用導管と前記第２揚水用導管は、前記水導入用導管から前記加熱装置へ又は前記第２揚水用導管から前記加熱装置へ水の流れを制御する電磁バルブを介して、前記加熱装置に接続される請求項４に記載の循環加熱式シャワー装置。
【請求項６】
前記電気給湯器に前記揚水装置の揚水動作及び前記加熱装置の加熱動作を制御する制御装置を備えることを特徴とする請求項４に記載の循環加熱式シャワー装置。
【考案の詳細な説明】
【技術分野】
【０００１】
本考案は、循環加熱式シャワー装置に関する。
【背景技術】
【０００２】
人間は、経済成長を遂げるにつれ、生活品質の向上を図るべく、入浴時にお湯を用いてシャワーを浴びることがよくある。シャワーを浴びるのは、体を洗浄するという目的を果たすだけでなく、寒い冬にはまさに享楽とも言えるので、多くの人は体を洗浄し終わってもお湯を浴び続けてしまう。それは、水資源とエネルギー資源の二重の浪費である。
【考案の概要】
【考案が解決しようとする課題】
【０００３】
ところで、現在市場におけるSPAプールやサウナといえば、専門的な循環濾過型加熱システムが用いられ、より大きな空間と投資計画を以って建造される。
従来の一般の家庭用浴槽とシャワーヘッドではこの種の設備と同じような機能を備えることは不可能である。また、多くの人がSPAプールやサウナを欲しがるからと言って、大規模な建設行為を行うことはない。
【０００４】
そこで、本考案は、このような従来の問題点に鑑みなされたもので、汲み上げた水を循環加熱して、節水、省エネを図る循環（ループ）加熱式シャワー装置を提供すること、を目的とする。
【課題を解決するための手段】
【０００５】
上記目的を達成するために、本考案の循環加熱式シャワー装置は、水を循環することによって加熱が可能な電気給湯器を備え、前記電気給湯器は、筐体と、前記筐体に内設される且つ給水用導管を有する加熱装置と、前記加熱装置の側端に位置する且つ揚水用導管を有する揚水装置と、前記揚水装置の側面に設けられる且つ水を前記加熱装置に輸送できる導管から構成される、ことを要旨とする。
また、このシャワー装置は、各部に次のような構成を備えることが好ましい。
（１）前記給水用導管の一端に水の流れ方向を制御できる制御バルブが設けられ、前記制御バルブの側端にさらに給水装置と連接可能な第一導管が設けられ、且つ前記制御バルブのもう一端にはさらに給湯器と連接可能な第二導管が設けられる。
（２）前記電気給湯器の側面にさらに前記加熱装置の加熱動作及び前記揚水装置の揚水動作を制御できる制御装置が設けられる。
（実施例）
図６から図８を参照すると、この循環加熱式シャワー装置は、水を循環することによって加熱が可能な電気給湯器１００を備え、電気給湯器１００は、筐体１と、筐体１に内設される且つ給水用導管２１を有する加熱装置２と、加熱装置２の側端に位置する且つ揚水用導管３１を有する揚水装置３と、揚水装置３の側面に設けられる且つ水を加熱装置２に輸送できる導管４から構成される。
この場合、給水用導管２１は制御バルブ５を介して給水装置６と組み合わせて連接される。
制御バルブ５の側端にさらに給水装置６と連接可能な第一導管７が設けられ、且つ制御バルブ５のもう一端にはさらに給湯器１０と連接可能な第二導管８が設けられる。
給湯器１０は電気給湯器、ガス給湯器、ヒートポンプ給湯器、太陽熱温水器など上述のいずれかである。
電気給湯器１０の側面にさらに加熱装置２の加熱動作及び揚水装置３の揚水動作を制御できる制御装置Ａが設けられる。
加熱装置２の側端には水の流れ方向を制御できる電磁弁Ｂが設けられる。
【０００６】
また、上記目的を達成するために、本考案の循環加熱式シャワー装置は、水を循環することによって加熱が可能な電気給湯器を備え、前記電気給湯器は、筐体と、前記筐体に内設される且つ給水用導管を有する加熱装置と、前記加熱装置の側面に設けられる第一揚水用導管と、前記加熱装置の側端に位置する且つ揚水用導管を有する揚水装置と、前記揚水装置の側面に設けられる且つ水を前記加熱装置に輸送できる導管から構成される、ことを要旨とする。
また、このシャワー装置は、各部に次のような構成を備えることが好ましい。
（１）前記給水用導管の一端が給水装置と連接され、前記加熱装置の側端には水の流れ方向を制御できる電磁弁が設けられる。
（２）前記電気給湯器の側面にさらに前記加熱装置の加熱動作及び前記揚水装置の揚水動作を制御できる制御装置が設けられる。
（実施例）
図１から図３を参照すると、この循環加熱式シャワー装置は、水を循環することによって加熱が可能な電気給湯器１００を備え、電気給湯器１００は、筐体１と、筐体１に内設される且つ給水用導管２１を有する加熱装置２と、加熱装置２の側面に設けられる第一揚水用導管９と、加熱装置２の側端に位置する且つ揚水用導管３１を有する揚水装置３と、揚水装置３の側面に設けられる且つ水を加熱装置２に輸送できる導管４から構成される。
この場合、給水用導管２１は給水装置６と組合わせ連接される。
電気給湯器１００の側面にさらに加熱装置２の加熱動作及び揚水装置３の揚水動作を制御できる制御装置Ａが設けられる。
加熱装置２の側端には水の流れ方向を制御できる電磁弁Ｂが設けられる。
【考案の効果】
【０００７】
本考案の循環加熱式シャワー装置によれば、上記の各構成により、次のような効果を奏する。
（１）本考案は加熱装置と揚水装置との組み合わせ応用により、水を循環することによって加熱する役目を果たすので、節水、省エネという効果に達する。
（２）本考案では給水用導管と制御バルブとの組合せ応用により、給湯器と組合わせる応用が可能なので、本考案の応用方式は一層多種多様であるため、より現代の消費者の要望に応えられる。
（３）本考案では給水用導管と給水装置との組合せ応用により、給湯器と組合わせて使用しなくても単独使用が可能である上に、消費者が独自で手軽に取り付けられる又は取り付ける必要がないので、迅速的に活用できるという効果に達する。
（４）本考案では給湯器の応用により使用者の需要によって使用できるので、本考案の運用方式は多様である。
（５）本考案では制御バルブと電磁弁との組合せ応用により水流を制御できるので、循環加温を実現する。
（６）本考案では電気給湯器の側面にさらに加熱装置の加熱動作及び揚水装置の揚水動作を制御できる制御装置が設けられており、この制御装置の応用により、迅速的に活用できるという効果に達する。
【図面の簡単な説明】
【０００８】
【図１】本考案の第１の実施の形態に係る循環加熱式シャワー装置の特に電気給湯器を内部を透視して示す斜視図
【図２】同シャワー装置の特に電気給湯器の正面断面図
【図３】同シャワー装置の全体構成を示す斜視図
【図４】同シャワー装置の動作（バスタブ又は給水装置から水を汲み上げ、循環して加熱する動作）を示す図
【図５】同シャワー装置の動作（給水装置から水を汲み上げ、循環して加熱する動作）を示す図
【図６】本考案の第２の実施の形態に係る循環加熱式シャワー装置の特に電気給湯器を内部を透視して示す斜視図
【図７】同シャワー装置の特に電気給湯器の正面断面図
【図８】同シャワー装置の全体構成を示す斜視図
【図９】同シャワー装置の動作（バスタブ又は給水装置から水を汲み上げ、循環して加熱する動作と給湯器から供給される湯を循環する動作）を示す図
【図１０】同シャワー装置の動作（給湯器から供給される湯を循環する動作）を示す図
【考案を実施するための形態】
【０００９】
次に、この考案を実施するための形態について図を用いて説明する。
（実施の形態１）
図１乃至図５に第１の実施の形態を示している。図１は第１の実施の形態に係る循環加熱式シャワー装置の特に電気給湯器を示し、図２はこの電気給湯器の内部の構成を示している。図３はこのシャワー装置全体の構成を示している。
【００１０】
図３に示すように、このシャワー装置は、電気給湯器１００と、この電気給湯器１００から外部に延びる揚水用導管３１、給湯用導管２１、及び第１揚水用導管９とを備えて構成される。
電気給湯器１００は、図１及び図２に示すように、筐体１と、筐体１に内設され、水を汲み上げる揚水装置３、水を加熱して供給する加熱装置２、及びこれら揚水装置３、加熱装置２間に接続され、揚水装置３で汲み上げた水を加熱装置２に導入する水導入用導管４とを備え、揚水装置３に揚水用導管３１が接続されて筐体１から外部に延ばされ、加熱装置２に給湯用導管２１、第１揚水用導管９がそれぞれ接続されて筐体１から外部に延ばされる。
この場合、筐体１内で、揚水装置３は加熱装置２の側方に配置され、水導入用導管４が揚水装置３の上部側面に設けられて、加熱装置２の上面上に配管され、第１揚水用導管９が加熱装置２の上面上から筐体１の（外側）側面に沿って配管され、水導入用導管４、第１揚水用導管９がそれぞれ電磁バルブＢを介して加熱装置２に接続される。また、この電気給湯器１００の側面にさらに加熱装置２の加熱動作及び揚水装置３の揚水動作を制御できる制御装置Ａが設けられる。
このようにして、図３に示すように、給湯用導管２１、第１揚水用導管９をそれぞれ給水装置６に連接し、揚水用導管３１をバスルームのバスタブの中に入れて、バスタブの中に溜められた水又は給水装置６から、水を汲み上げ循環させながら加熱し、給水装置６を通して、シャワーに供給するようになっている。
【００１１】
図４、図５はそれぞれこのシャワー装置の動作を示している。
図４及び図５に示すように、バスタブ内に溜められた水は揚水用導管３１、揚水装置３、水導入用導管４を通じて、加熱装置２内に導入され、この加熱装置２を通して加熱される。そして、この加熱装置２を通して加熱された水、すなわち湯が、給湯用導管２１を通し、給水装置６を介してシャワーに供給される。また、給水装置６から水が第１揚水用導管９を通じて加熱装置２に導入され、加熱装置２から給湯用導管２１に通されて、給水装置６を介してシャワーに供給される。なお、電磁バルブＢにより水の流れる方向が制御される。
【００１２】
以上説明したように、このシャワー装置によれば、上記の各構成により、次のような効果を奏する。
（１）加熱装置２と揚水装置３とを組み合わせ、給湯用導管２１、第１揚水用導管９をそれぞれ給水装置６に連接し、揚水用導管３１をバスルームのバスタブの中に入れて、バスタブの中に溜められた水又は給水装置６から水を汲み上げ循環させながら加熱し、給水装置６を通して、シャワーに供給するようにしたので、バスルームのバスタブに残された水を汲み上げ、循環加熱して、シャワーの湯として使用することができ、節水と省エネに資することができる。
（２）給水用導管２１と給水装置６との組み合わせにより、一般の給湯器と組み合わせて使用することなく単独使用が可能であり、ユーザーが独自に手軽に取り付けられる又は取り付ける必要がないので、迅速的に活用できる。
（３）加熱装置２に電磁バルブＢを設けたので、水の流れる方向を制御することができる。
（４）電気給湯器１００の側面に加熱装置２の加熱動作及び揚水装置３の揚水動作を制御できる制御装置Ａが設けられており、この制御装置Ａの応用により、迅速的に活用することができる。
【００１３】
（実施の形態２）
図６乃至図１０に第２の実施の形態を示している。図６は第２の実施の形態に係る循環加熱式シャワー装置の特に電気給湯器を示し、図７はこの電気給湯器の内部の構成を示している。図８はこのシャワー装置全体の構成を示している。
【００１４】
図８に示すように、このシャワー装置は、電気給湯器１００と、この電気給湯器１００から外部に延びる揚水用導管３１、給湯用導管２１と、併せて第２導管８とを備えて構成される。
電気給湯器１００は、図６及び図７に示すように、筐体１と、筐体１に内設され、水を汲み上げる揚水装置３、水を加熱して供給する加熱装置２、及びこれら揚水装置３、加熱装置２間に接続され、揚水装置３で汲み上げた水を加熱装置２に導入する水導入用導管４とを備え、揚水装置３に揚水用導管３１が接続されて筐体１から外部に延ばされ、加熱装置２に給湯用導管２１が接続されて筐体１から外部に延ばされる。また、このシャワー装置の場合、一般の給湯器１０を利用し、この給湯器１０に第２導管８が接続される。なお、一般の給湯器１０は、電気給湯器、ガス給湯器、ヒートポンプ給湯機、太陽熱温水器などのいずれでもよい。
この場合、筐体１内で、揚水装置３は加熱装置２の側方に配置され、水導入用導管４が揚水装置３の上部側面に設けられて、加熱装置２の上面上に配管され、電磁バルブＢを介して加熱装置２に接続される。また、給湯用導管２１と第２導管８が制御バルブ５に接続される。また、この電気給湯器１００の側面にさらに加熱装置２の加熱動作及び揚水装置３の揚水動作を制御できる制御装置Ａが設けられる。
このようにして、図８に示すように、給湯用導管２１、第２導管８をそれぞれ、制御バルブ５、第１導管７を介して、給水装置６に連接し、揚水用導管３１をバスルームのバスタブの中に入れて、バスタブの中に溜められた水を汲み上げ循環させながら加熱し、給水装置６を通して、また、給湯器１０から湯を給水装置６を通して、シャワーに供給するようになっている。
【００１５】
図９、図１０はそれぞれこのシャワー装置の動作を示している。
図９及び図１０に示すように、バスタブ内に溜められた水は揚水用導管３１、揚水装置３、水導入用導管４を通じて、加熱装置２内に導入され、この加熱装置２を通して加熱される。そして、この加熱装置２を通して加熱された水、すなわち湯が、給湯用導管２１を通し、給水装置６を介してシャワーに供給される。また、一般の給湯器１０から湯が第２導管８を通じ、制御バルブ５により、給水装置６に通され、給水装置６を介してシャワーに供給される。なお、制御バルブ５と電磁バルブＢとの組み合わせにより水流が制御される。
【００１６】
以上説明したように、このシャワー装置によれば、上記の各構成により、次のような効果を奏する。
（１）加熱装置２と揚水装置３とを組み合わせ、給湯用導管２１、第２導管８をそれぞれ制御バルブ５、第１導管７を介して給水装置６に連接し、揚水用導管３１をバスルームのバスタブの中に入れて、バスタブの中に溜められた水を汲み上げ循環させながら加熱して、又は給湯器１０から湯を、給水装置６を通して、シャワーに供給するようにしたので、バスルームのバスタブに残された水を汲み上げ、循環加熱して、シャワーの湯として使用することができ、節水と省エネに資することができる。
（２）給水用導管２１と給湯器１０とを制御バルブ５を介して組み合わせたことにより、湯の供給形式が多種多様となり、給湯器１０をユーザーの需要によって使用でき、より現代のユーザーの要望に応えることができる。
（３）制御バルブ５と電磁バルブＢとの組み合わせにより、水流を制御でき、循環加温を実現することができる。
（４）電気給湯器１００の側面に加熱装置２の加熱動作及び揚水装置３の揚水動作を制御できる制御装置Ａが設けられており、この制御装置Ａの応用により、迅速的に活用することができる。
【００１７】
なお、以上の各実施の形態は、本考案の構造と、特徴及び作用効果を説明するために用いられるものであり、新規性や進歩性といった要件を満たしているため、法律の規定による実用新案登録出願を行う。また、上述では本考案の好ましい実施例を開示したに過ぎず、それを以って、本考案の実用新案登録請求の範囲が制限されることは無い。本考案の思想を逸脱することなく種々の改造やそれと同じ置き換えを行っても、それはすべて本考案の範囲に含まれるものである。
【符号の説明】
【００１８】
１  筐体
２  加熱装置
２１  給湯用導管
３  揚水装置
３１  揚水用導管
４  水導入用導管
５  制御バルブ
６  給水装置
７  第１導管
８  第２導管
９  第２揚水用導管
１０  給湯器
１００  電気給湯器
Ａ  制御装置
Ｂ  電磁バルブ
【図１】
0003181590.tif 000003
【図２】
0003181590.tif 000004
【図３】
0003181590.tif 000005
【図４】
0003181590.tif 000006
【図５】
0003181590.tif 000007
【図６】
0003181590.tif 000008
【図７】
0003181590.tif 000009
【図８】
0003181590.tif 000010
【図９】
0003181590.tif 000011
【図１０】
0003181590.tif 000012